(57)【要約】【課題】ビル内や工場内でのデータ信号を行うに好適であって、かつ、無線中継ノードの位置管理を簡単に行える無線ネットワークシステムの提供。【解決手段】上記課題は、無線中継ノード２と、外部より入力されるデータ信号を無線信号に変調して無線中継ノード２に送信する第１の無線端末ノード３、４と、無線中継ノード２からの無線信号をデータ信号に復調して送信する第２の無線端末ノード５と、この第２の無線端末ノード５からのデータ信号を受信する管理サーバ６と、無線中継ノード２の設置位置の移動の有無を検出する移動検出手段１７とを備え、この移動検出手段１７により、無線中継ノード２の設置位置の移動が検出されると、その移動に関する移動情報データを無線中継ノード２の蓄積手段に格納する共に、その移動情報データを第２の無線端末ノード５を介して管理サーバ６の位置データベース２１に格納することで、解決できる。【選択図】図１
2006049982.tif 000002
【特許請求の範囲】
【請求項１】
無線中継ノードと、外部より入力されるデータ信号を無線信号に変調して前記無線中継ノードに送信する第１の無線端末ノードと、前記無線中継ノードからの無線信号をデータ信号に復調して送信する第２の無線端末ノードと、この第２の無線端末ノードからのデータ信号を受信する管理サーバとを、少なくとも具備してなる無線ネットワークシステムにおいて、前記無線中継ノードの設置位置の移動を検出する移動検出手段を、前記無線中継ノードに設けて、この移動検出手段によって、前記無線中継ノードの設置位置の移動が検出されると、その移動に関する移動情報データが前記無線中継ノードの蓄積手段に格納されると共に、前記移動情報データが前記第２の無線端末ノードを介して前記管理サーバに送信されてその管理サーバの位置データベースに格納されるようにしたことを特徴とする無線ネットワークシステム。
【請求項２】
前記移動検出手段を、無線中継ノードを設置位置に固定したままの場合から無線中継ノードを設置位置から持ち上げた場合にオン若しくはオフするメカニカルスイッチとし、このメカニカルスイッチのオンオフ状態が無線中継ノードに取り込まれた場合に、無線中継ノードの設置位置の移動に関する移動情報データが無線中継ノードの蓄積手段に格納されると共に、前記移動情報データが前記第２の無線端末ノードを介して前記管理サーバに送信されてその管理サーバに格納されるようにしたことを特徴とする請求項１記載の無線ネットワークシステム。
【請求項３】
前記移動検出手段を、無線中継ノードを移動させることで発生する加速度を検出してその加速度に応じた出力を生じさせる加速度センサとし、この加速度センサの出力が無線中継ノードに取り込まれた場合に、無線中継ノードの設置位置の移動に関する移動情報データが無線中継ノードの蓄積手段に格納されると共に、前記移動情報データが前記第２の無線端末ノードを介して前記管理サーバに送信されてその管理サーバに格納されるようにしたことを特徴とする請求項１記載の無線ネットワークシステム。
【請求項４】
前記移動検出手段を、無線中継ノードの設置位置に固定したままの状態と無線中継ノードの設置位置を移動させた状態とでは照射される光量が異なるようにした照明センサとし、この照明センサの出力の変化が無線中継ノードに取り込まれた場合に、無線中継ノードの設置位置の移動に関する移動情報データが無線中継ノードの蓄積手段に格納されると共に、前記移動情報データが前記第２の無線端末ノードを介して前記管理サーバに送信されてその管理サーバに格納されるようにしたことを特徴とする請求項１記載の無線ネットワークシステム。
【発明の詳細な説明】
【技術分野】
【０００１】
本発明は、データ信号を送信するための無線ネットワークシステムに関するものである。
【背景技術】
【０００２】
従来、ビル内や工場内において、データ信号を送信する場合には、イーサネット（登録商標）に代表される有線通信システムや無線ＬＡＮに代表される無線通信システムが採用されていた。しかしながら、有線通信システムでは、通信線を敷設するための膨大な工事費用を必要とし、しかも、有線敷設工事の終了後のレイアウト変更に対して柔軟に対応することができなかった。また、無線通信システムでは、アクセスポイントとノードとの間の通信距離が固定されること及びパーティション等の障害物によって通信可能範囲が制限されてしまっていた。
【０００３】
そこで、近年、イーサネット（登録商標）に代表される有線通信システムや無線ＬＡＮに代表される無線通信システムに替わって、通信距離を必要に応じて伸ばしたり、障害物等を迂回させたりすることができるマルチホップ通信という無線通信システムが開発されている（例えば、特許文献１参照）。
【０００４】
【特許文献１】特開２００３−２７３７８８号公報（段落番号０００１〜段落番号０００３及び段落番号００１２〜段落番号００２８）
【発明の開示】
【発明が解決しようとする課題】
【０００５】
しかしながら、上述した特開２００３−２７３７８８号公報の記載の無線ネットワークシステムでは、その無線ネットワークシステムを構成する無線中継ノードを設置位置から移動させた場合に、その移動を、無線ネットワークシステムの保全管理者が検出することができないので、その移動させた無線中継ノードの位置管理を、無線ネットワークシステムの保全管理者若しくは保全作業者が行うことができなくなり、無線ネットワークシステムの保全点検を十分に行うことができないという問題があった。
【０００６】
本発明の目的は、上述した問題点に鑑みてなされたもので、無線中継ノードを設置位置から移動させた場合でも、その移動させた無線中継ノードの位置管理を簡単に行える無線ネットワークシステムを提供するにある。
【課題を解決するための手段】
【０００７】
上記目的を達成するために、本発明は、無線中継ノードと、外部より入力されるデータ信号を無線信号に変調して前記無線中継ノードに送信する第１の無線端末ノードと、前記無線中継ノードからの無線信号をデータ信号に復調して送信する第２の無線端末ノードと、この第２の無線端末ノードからのデータ信号を受信する管理サーバとを、少なくとも具備してなる無線ネットワークシステムにおいて、前記無線中継ノードの設置位置の移動の有無を検出する移動検出手段を、前記無線中継ノードに設けて、この移動検出手段によって、前記無線中継ノードの設置位置の移動が検出されると、その移動に関する移動情報データが前記無線中継ノードの蓄積手段に格納されると共に、前記移動情報データが前記第２の無線端末ノードを介して前記管理サーバに送信されてその管理サーバの位置データベースに格納されるようにしたことを特徴とする。
【０００８】
さらに、本発明は、前記移動検出手段を、無線中継ノードを設置位置に固定したままの場合から無線中継ノードを設置位置から持ち上げた場合にオン若しくはオフするメカニカルスイッチとし、このメカニカルスイッチのオンオフ状態が無線中継ノードに取り込まれた場合に、無線中継ノードの設置位置の移動に関する移動情報データが無線中継ノードの蓄積手段に格納されると共に、前記移動情報データが前記第２の無線端末ノードを介して前記管理サーバに送信されてその管理サーバに格納されるようにしたことを特徴とする。
【０００９】
さらに、本発明は、前記移動検出手段を、無線中継ノードを移動させることで発生する加速度を検出してその加速度に応じた出力を生じさせる加速度センサとし、この加速度センサの出力が無線中継ノードに取り込まれた場合に、無線中継ノードの設置位置の移動に関する移動情報データが無線中継ノードの蓄積手段に格納されると共に、前記移動情報データが前記第２の無線端末ノードを介して前記管理サーバに送信されてその管理サーバに格納されるようにしたことを特徴とする。
【００１０】
さらに、本発明は、前記移動検出手段を、無線中継ノードの設置位置に固定したままの状態と無線中継ノードの設置位置を移動させた状態とでは照射される光量が異なるようにした照明センサとし、この照明センサの出力の変化が無線中継ノードに取り込まれた場合に、無線中継ノードの設置位置の移動に関する移動情報データが無線中継ノードの蓄積手段に格納されると共に、前記移動情報データが前記第２の無線端末ノードを介して前記管理サーバに送信されてその管理サーバに格納されるようにしたことを特徴とする。
【発明の効果】
【００１１】
本発明によれば、ビル内や工場内で無線中継ノードの設置位置を移動させても、その移動させた無線中継ノードの位置管理を簡単に行える無線ネットワークシステムが得られた。
【発明を実施するための最良の形態】
【００１２】
以下、本発明に係る無線ネットワークシステムの一実施形態を図面に基づいて説明する。図１は、本発明の一実施形態に係わる無線ネットワークシステムの全体構成図である。図２は、本発明の一実施形態に係わる無線ネットワークシステムの無線中継ノードの機能ブロック図である。図３は、本発明の一実施形態に係わる無線ネットワークシステムの無線端末ノードの機能ブロック図である。図４は、本発明の一実施形態に係わる無線ネットワークシステムの無線中継ノードの移動を検出する手順の説明図である。図５は、本発明の一実施形態に係わる無線中継ノードの移動を検出する手順の処理内容説明図である。図６は、本発明の他実施形態に係わる無線ネットワークシステムの全体構成図である。なお、図１から図６において、同一符号は、同一内容を表している。
【００１３】
図１に示す無線ネットワークシステム１は、１個の無線中継ノード２と、外部より入力されるデータ信号を無線信号Ｘ１に変調して無線中継ノード２に送信する第１の無線端末ノード３と、外部より入力されるデータ信号を無線信号Ｘ２に変調して無線中継ノード２に送信する第１の無線端末ノード４と、無線中継ノード２からの無線信号Ｘ３をデータ信号に復調して送信する第２の無線端末ノード５と、この第２の無線端末ノード５からのデータ信号を受信する管理サーバ６とから少なくとも構成されている。第１の無線端末ノード３は、インターフェイス信号線７によって外部装置８に接続されている。第１の無線端末ノード４は、インターフェイス信号線９によって外部装置１０に接続されている。第２の無線端末ノード５は、インターフェイス信号線１１によって管理サーバ６に接続されている。
【００１４】
無線中継ノード２は、第１の無線端末ノード３からの無線信号Ｘ１若しくは第１の無線端末ノード４からの無線信号Ｘ２を受信して、その無線信号Ｘ１若しくは無線信号Ｘ２を、第１の無線端末ノード３に外部装置８から入力されたデータ信号若しくは第１の無線端末ノード４に外部装置１０から入力されたデータ信号と同一のデータ信号に復調してその復調したデータ信号を無線信号Ｘ３に変調して、その無線信号Ｘ３を無線端末ノード５に送信する機能を有している。
【００１５】
無線中継ノード２は、図２に示すように、高周波回路部１２及びこの高周波回路部１２の制御を行うマイクロプロセッサ１３を包含する無線モジュール１４と、この無線モジュール１４に電力を供給する電源１５と、第１の無線端末ノード３及び第１の無線端末ノード４との間で信号を送受信するための無線アンテナ１６と、無線中継ノード２の設置位置の移動を検出する移動検出手段１７と、この移動検出手段１７によって検出された移動情報データを格納する蓄積手段（図示せず）とを具備しており、移動検出手段１７により、無線中継ノード２の設置位置の移動が検出されると、その移動に関する移動情報データが無線中継ノード２の蓄積手段に格納されると共に、その移動情報データが第２の無線端末ノード５に送信される機能を有している。移動検出手段１７によって検出される移動情報データには、無線中継ノード２の設置位置を移動させた日時及び設置位置を移動させた無線中継ノード２のノード番号が含まれている。なお、無線中継ノード２の移動情報データを格納する蓄積手段（図示せず）は、マイクロプロセッサ１３の記憶部が兼ねるようにしてもよい。
【００１６】
図２に示す無線中継ノード２では、移動検出手段１７として、加速度センサ１８とマイクロスイッチなどからなるメカニカルスイッチ１９の、２種類のものを設けるようにしている。加速度センサ１８は、無線中継ノード２に設けられて、無線中継ノード２の設置位置を変えるために無線中継ノード２を移動させた場合に発生する加速度を検出して出力をマイクロプロセッサ１３に入力させる機能を有している。
【００１７】
加速度センサ１８から出力がマイクロプロセッサ１３に入力されると、無線中継ノード２のマイクロプロセッサ１３から無線中継ノード２の設置位置の移動に関する移動情報データが、無線中継ノード２の蓄積手段に格納されると共に、その移動情報データが無線アンテナ１６を介して第２の無線端末ノード５に送信され、しかも、第２の無線端末ノード５に送信されてきた移動情報データがインターフェイス信号線１１を介して管理サーバ６に格納される。
【００１８】
メカニカルスイッチ１９は、無線中継ノード２の外郭を構成するケースの底面に取り付けられており、無線中継ノード２を設置位置に固定したままの場合ではオン状態が維持されると共に、無線中継ノード２を設置位置から持ち上げた場合ではオフ状態となるようにしてある。このメカニカルスイッチ１９のオンオフ状態の変化を、マイクロプロセッサ１３に取り込み、無線中継ノード２の移動を、検出するようにしてある。
【００１９】
本実施形態のメカニカルスイッチ１９では、そのメカニカルスイッチ１９のオフ状態がマイクロプロセッサ１３に取り込まれた場合、上記加速度センサ１８から出力がマイクロプロセッサ１３に入力される場合と同様に、無線中継ノード２のマイクロプロセッサ１３から無線中継ノード２の設置位置の移動に関する移動情報データが、無線中継ノード２の蓄積手段に格納されると共に、管理サーバ６にも格納されるようにしてある。
【００２０】
第１の無線端末ノード３、４は、図３の示すように、高周波回路部１２及びこの高周波回路部１２の制御を行うマイクロプロセッサ１３を包含する無線モジュール１４と、この無線モジュール１４に電力を供給する電源１５と、無線中継ノード２との間で無線信号Ｘ１、Ｘ２などの信号を送受信するための無線アンテナ１６とを、少なくとも具備している。第１の無線端末ノード３若しくは第１の無線端末ノード４のマイクロプロセッサ１３は、インターフェイス信号線７若しくはインターフェイス信号線９により、外部装置８若しくは外部装置１０に接続されている。外部装置８若しくは外部装置１０から第１の無線端末ノード３若しくは第１の無線端末ノード４のマイクロプロセッサ１３に入力されたデータ信号は、無線信号Ｘ１若しくは無線信号Ｘ２に変調して第１の無線端末ノード３若しくは第１の無線端末ノード４の無線アンテナ１６を介して無線中継ノード２に送信される。
【００２１】
外部装置８若しくは外部装置１０から入力されるデータ信号と無線中継ノード２から送信される移動情報データに関する信号とを区別するために、無線中継ノード２から送信される移動情報データに関する信号には、データ識別子が付加されるようにしてある。
【００２２】
管理サーバ６は、図１に示すように、その管理サーバ６に第２の無線端末ノード５から送信されてきたデータ信号が移動情報データに関する信号か否かをデータ識別子により識別する位置管理処理部２０と、この位置管理処理部２０により管理サーバ６に第２の無線端末ノード５から送信されてきたデータ信号が移動情報データに関する信号であると識別された場合にはその信号を移動履歴として格納する位置データベース２１と、位置管理処理部２０及び位置データベース２１の制御を行う装置制御部２２とを、少なくとも具備している。
【００２３】
上記一実施形態の無線ネットワークシステム１における無線中継ノード２の移動を検出するための手順を、図４及び図５に基づいて説明する。
【００２４】
（１）まず、無線中継ノード２の電源投入後、高周波回路部１２及びマイクロプロセッサ１３などの初期化処理工程Ｓ１を実行する。
【００２５】
（２）次いで、初期化処理工程Ｓ１を実行したならば、すなわち、初期化終了後は、移動検出手段１７からの出力をチェックして無線中継ノード２が移動したかを検出するための検出待ち工程Ｓ２に移行する。
【００２６】
（３）次いで、検出待ち工程Ｓ２において、無線中継ノード２の移動が検出されると、その移動に関する検出データ（移動情報データ）を、無線中継ノード２の蓄積手段に格納すると共に、その検出データ（移動情報データ）を必要に応じて発光ダイオードの点滅やブーザー音で、無線中継ノード２の移動を、外部に表示する検出データ格納／表示工程Ｓ３を実行する。
【００２７】
（４）次いで、検出データ格納／表示工程Ｓ３において、検出データ（移動情報データ）の、無線中継ノード２の蓄積手段への格納が終了したならば、無線中継ノード２の移動に関する検出データ（移動情報データ）を、管理サーバ６に伝送するデータ伝送工程Ｓ４を実行する。データ伝送工程Ｓ４の終了後は、検出待ち工程Ｓ２に戻り、移動検出手段１７からの出力をチェックして無線中継ノード２が移動したか否かの検出動作を繰り返す。
【００２８】
上記の検出待ち工程Ｓ２―検出データ格納／表示工程Ｓ３―データ伝送工程Ｓ４を繰り返すことで、無線中継ノード２の設置位置が移動するたびに、その検出データ（移動情報データ）が、無線中継ノード２の蓄積手段に移動履歴として格納されると共に、管理サーバ６の位置データベース２１に移動履歴として格納される。
【００２９】
以上のように、上記本発明の一実施形態によれば、無線中継ノード２の移動履歴が管理サーバ６の位置データベース２１に格納されているので、無線ネットワークシステム１の保全管理者若しくは保全担当者が、保全作業開始時などに、管理サーバ６の位置データベース２１の内容を確認することにより、無線中継ノード２の移動履歴を簡単に知ることができる。
【００３０】
さらに、上記一実施形態によれば、管理サーバ６の位置データベース２１に、無線中継ノード２の移動履歴が格納されており、その移動履歴を、無線ネットワークシステム１の保全管理者若しくは保全担当者がアクセスすることによって知ることができるため、無線中継ノード２の位置を無線ネットワークシステム１の保全管理者若しくは保全担当者が見失うことがないので、無線ネットワークシステム１の保全管理を、効率よく行うことができ、保全管理費の低減化及び保全管理の軽減化を図ることができる。また、上記一実施形態によれば、無線ネットワークシステム１を構築した後のレイアウト変更に対して柔軟に対応することができると共に、無線ネットワークシステム１を構築するための費用を廉価で済ませることができ、しかも、通信距離を必要に応じて伸ばしたり、障害物等を迂回させたりすることができる。
【００３１】
次に、本発明の他実施形態の無線ネットワークシステム２３を、図６に示す。図６において、図１の一実施形態の無線ネットワークシステム１と同一符号は同一内容を表しているので、同一部分の説明は省略する。本発明の他実施形態の無線ネットワークシステム２３は、１個の無線中継ノード２と、外部より入力されるデータ信号を無線信号Ｘ１に変調して無線中継ノード２に送信する第１の無線端末ノード３と、外部より入力されるデータ信号を無線信号Ｘ２に変調して無線中継ノード２に送信する第１の無線端末ノード４と、無線中継ノード２からの無線信号Ｘ３をデータ信号に復調して送信する第２の無線端末ノード５とが、工場２４内に設置されている。工場２４内に設置された第２の無線端末ノード５には、インターフェイス信号線１１により、通信装置２５が接続されている。管理サーバ６は、通信網２６を介して通信装置２５に接続されている。通信網２６としては、インターネット網はもちろんのこと、公衆電話網、電話回線、ＰＨＳ、ＬＡＮなどを用いることができる。
【００３２】
上記他実施形態の無線ネットワークシステム２３によれば、工場２４から遠く離れた場所に管理サーバ６が設置されていても、その管理サーバ６に無線ネットワークシステム２３の無線中継ノード２の移動履歴を格納することができ、便利である。
【００３３】
上記実施形態の無線ネットワークシステム１、２３では、無線中継ノード２を１個としているが、これに限定されない。無線中継ノード２を複数個設けて、その複数個の無線中継ノード２を介して第２の無線端末ノード５に無線信号Ｘ３を送信するようにしてもよい。
【００３４】
さらに、上記実施形態の無線ネットワークシステム１、２３では、移動検出手段１７を加速度センサ１８若しくはメカニカルスイッチ１９としているが、これに限定されない。移動検出手段１７としては、無線中継ノード２の設置位置に固定したままの状態と無線中継ノード２の設置位置を移動させた状態とでは照射される光量が異なるようにした照明センサ、例えば、「無線中継ノード２の設置位置に固定したままの状態では照明灯などの光が照射されず、かつ、無線中継ノード２の設置位置を移動させた状態では照明灯などの光が照射される」ように、無線中継ノード２の外郭を構成するケースの底面に取り付けた照明センサを設けて、この照明センサの出力の変化をマイクロプロセッサ１３に取り込ませることにより、無線中継ノード２の移動を検出するようにしてもよい。
【００３５】
さらに、上記実施形態の無線ネットワークシステム１、２３では、移動検出手段１７として、加速度センサ１８とメカニカルスイッチ１９との２種類のものを設けるようにしているが、これに限定されない。加速度センサ１８とメカニカルスイッチ１９の、いずれか一方を設けるようにしてもよい。また、上記実施形態のメカニカルスイッチ１９では、そのメカニカルスイッチ１９のオフ状態がマイクロプロセッサ１３に取り込まれた場合に、無線中継ノード２のマイクロプロセッサ１３から無線中継ノード２の設置位置の移動に関する移動情報データが、無線中継ノード２の蓄積手段に格納されると共に、管理サーバ６に格納されるようしているが、これに限定されない。メカニカルスイッチ１９のオン状態がマイクロプロセッサ１３に取り込まれた場合に、移動情報データが、無線中継ノード２の蓄積手段及び管理サーバ６に格納されるようにしてもよい。
【図面の簡単な説明】
【００３６】
【図１】本発明の一実施形態に係わる無線ネットワークシステムの全体構成図である。
【図２】本発明の一実施形態に係わる無線ネットワークシステムの無線中継ノードの機能ブロック図である。
【図３】本発明の一実施形態に係わる無線ネットワークシステムの無線端末ノードの機能ブロック図である。
【図４】本発明の一実施形態に係わる無線ネットワークシステムの無線中継ノードの移動を検出する手順の説明図である。
【図５】本発明の一実施形態に係わる無線中継ノードの移動を検出する手順の内容説明図である。
【図６】本発明の他実施形態に係わる無線ネットワークシステムの全体構成図である。
【符号の説明】
【００３７】
１    無線ネットワークシステム（一実施形態）
２    無線中継ノード
３、４  第１の無線端末ノード
５    第２の無線端末ノード
６    管理サーバ
７、９、１１  インターフェイス信号線
８、１０    外部装置
１２  高周波回路部
１３  マイクロプロセッサ
１４  無線モジュール
１５  電源
１６  無線アンテナ
１７  移動検出手段
１８  加速度センサ
１９  メカニカルスイッチ
２０  位置管理処理部
２１  位置データベース
２２  装置制御部
２３  無線ネットワークシステム（他実施形態）
２４  工場
２５  通信装置
２６  通信網
【図１】
2006049982.tif 000003
【図２】
2006049982.tif 000004
【図３】
2006049982.tif 000005
【図４】
2006049982.tif 000006
【図５】
2006049982.tif 000007
【図６】
2006049982.tif 000008